(57)【要約】【課題】本発明は、色変換に関し、拡張した映像信号を取り扱う際に小規模の記憶容量で実現する事ができる画像表示装置及び画像表示方法を提供することを目的とする。【解決手段】入力した映像信号に対して、映像信号の入力レベルから、入力レベルに合わせた色変換テーブル５２のアドレスを生成するアドレス生成手段５１と、色変換テーブル５２と、色変換テーブル５２の出力とアドレス生成手段５１から出力される補間割合に応じて補間演算する演算手段５３と、色変換テーブル５２に書き込む制御手段５４と、色変換テーブル５２に書き込むプロファイルを記憶しておくプロファイル記憶手段５５とを備え、アドレス生成手段５１は、入力した映像信号の成分によりアドレスを切り替える。【選択図】図６
2008301383.tif 000002
【特許請求の範囲】
【請求項１】
入力した映像信号に対して、前記映像信号の入力レベルから前記入力レベルに合わせた色変換テーブルのアドレスを生成するアドレス生成手段と、
前記アドレス生成手段で生成されたアドレスが入力される色変換テーブルと、
前記アドレス生成手段で生成されたアドレスに基づき、出力される前記色変換テーブルの値を、前記アドレス生成手段から出力される補間割合に応じて補間演算する演算手段と、
を備えた事を特徴とする画像表示装置。
【請求項２】
前記色変換テーブルに書き込まれるプロファイルが複数記憶されたプロファイル記憶手段と、
前記アドレス生成手段で生成されたアドレスに基づき、前記プロファイル記憶手段から前記複数のプロファイルの１つを選択し、前記色変換テーブルに書き込む制御手段と、
を備えた事を特徴とする請求項１記載の画像表示装置。
【請求項３】
前記アドレス生成手段は、前記映像信号の色成分の大きさに応じてアドレスを調整する事を特徴とする請求項１記載の画像表示装置。
【請求項４】
前記アドレス生成手段は、第１のアドレス生成手段と第２のアドレス生成手段を備え、色域の大きさに応じて、前記制御手段により、前記第１のアドレス生成手段と前記第２のアドレス生成手段とを切り替える事を特徴とする請求項２記載の画像表示装置。
【請求項５】
前記演算手段により補間演算した後、前記映像信号に乗算する事を特徴とする請求項１記載の画像表示装置。
【請求項６】
入力した映像信号に対して、前記映像信号の入力レベルから前記入力レベルに合わせた色変換テーブルのアドレスを生成するアドレス生成ステップと、
前記アドレス生成ステップで生成されたアドレスが入力される色変換テーブルと、
前記アドレス生成ステップで生成されたアドレスに基づき、出力される前記色変換テーブルの値を前記アドレス生成ステップから出力される補間割合に応じて補間演算する演算ステップと、
を備えた事を特徴とする画像表示方法。
【請求項７】
前記色変換テーブルに書き込まれるプロファイルが複数記憶されたプロファイル記憶ステップと、
前記アドレス生成ステップで生成されたアドレスに基づき、前記プロファイル記憶ステップから前記複数のプロファイルの１つを選択し、前記色変換テーブルに書き込む制御ステップと、を備えた事を特徴とする請求項６記載の画像表示方法。
【請求項８】
前記アドレス生成ステップは、前記映像信号の色成分の大きさに応じてアドレスを調整する事を特徴とする請求項６記載の画像表示方法。
【請求項９】
前記アドレス生成ステップは、第１のアドレス生成ステップと第２のアドレス生成ステップを備え、色域の大きさに応じて、前記制御ステップにより、前記第１のアドレス生成ステップと前記第２のアドレス生成ステップとを切り替える事を特徴とする請求項７記載の画像表示方法。
【請求項１０】
前記演算ステップにより補間演算した後、前記映像信号に乗算する事を特徴とする請求項６記載の画像表示方法。
【発明の詳細な説明】
【技術分野】
【０００１】
本発明は、画像を出力するプロジェクタ装置などの画像表示装置及び画像表示方法に関し、特に、色変換技術に関する。
【背景技術】
【０００２】
従来、プロジェクタ装置などの画像表示装置が画像を表示出力している際に、入力するコンテンツの色域（色再現できる範囲）と画像表示装置の色域が異なる為に、コンテンツ制作者の意図とは異なり、想定した色と違って表示される事が多い。
【０００３】
それを解決する為に大きな色変換テーブルが必要となるが、テーブルの大きさが大きくなってしまう。
【０００４】
このような色変換に関する技術の一つに、特許文献１に開示されている色変換処理装置がある。
【０００５】
図１１は特許文献１に開示されている画像処理装置を示すブロック図である。
【０００６】
図において、画像処理装置は、メモリアービターＩ／Ｆ６１と、色変換処理装置６２と、ハーフトーン処理装置６３と、パラメータ格納装置６４とを備えている。
【０００７】
メモリアービターＩ／Ｆ６１は、画像処理装置の画像読み込み処理と、格子点データの読み込み処理と、処理後画像の書き込み処理のメモリアービターへの要求の調停を行い、色変換処理装置６２への画像データを転送し、ハーフトーン処理装置６３によるハーフトーン処理後の画像をメモリアービター７３へ転送する。
【０００８】
このように、過去に読み出した複数の格子点データを格納する格子点データキャッシュ手段と、過去に処理した複数の処理画像の上位Ｎビット及び分割された多面体の履歴を格納する履歴データ記憶手段のような色処理手段を構成することで、少ないゲート規模により色変換処理が可能になる。
【特許文献１】特開２００４―２４２２１３号公報
【発明の開示】
【発明が解決しようとする課題】
【０００９】
しかしながら、入力映像（コンテンツ）には、様々な大きさの色域があり、特許文献１のように単純に各Ｒ（Ｒｅｄ）、Ｇ（Ｇｒｅｅｎ）、Ｂ（Ｂｌｕｅ）成分の上位Ｎビット、下位８−Ｎビットに分割し、８個の格子点からなる立方体の６個の四面のどの面に位置するか、ＴＹＰＥとして履歴に残し参照するだけでは、メモリの大きさを小さくできるとは限らない。
【００１０】
例えば、映像信号のとりうる色域（ＡｄｏｂｅＲＧＢやＤｉｇｉｔａｌ Ｃｉｎｅｍａ Ｉｎｉｔｉａｔｉｖｅｓ規格）を拡張動画標準規格ｘｖＹＣＣ（ＩＥＣ ６１９６６−２−４）で映像信号が送られてくる場合、Ｒ、Ｇ、Ｂの各色で入力される範囲が異なってくる。
【００１１】
上記問題に鑑み、本発明は、色に応じてアドレスを調整する事で、色変換を小規模の容量の記憶手段で構成する事ができる画像表示装置及び画像表示方法を提供することを目的とする。
【課題を解決するための手段】
【００１２】
上記従来の課題を解決するために、第１の本発明は、入力した映像信号に対して、前記映像信号の入力レベルから前記入力レベルに合わせた色変換テーブルのアドレスを生成するアドレス生成手段と、前記アドレス生成手段で生成されたアドレスが入力される色変換テーブルと、前記アドレス生成手段で生成されたアドレスに基づき、出力される前記色変換テーブルの値を前記アドレス生成手段から出力される補間割合に応じて補間演算する演算手段と、を備えた事を特徴とする画像表示装置であり、小規模の容量の記憶手段で色変換処理を実現できるという作用を有する。
【００１３】
第２の本発明は、前記色変換テーブルに書き込まれるプロファイルが複数記憶されたプロファイル記憶手段と、前記アドレス生成手段で生成されたアドレスに基づき、前記プロファイル記憶手段から前記複数のプロファイルの１つを選択し、前記色変換テーブルに書き込む制御手段と、を備えた請求項１記載の画像表示装置であり、映像信号に応じたプロファイルを選択できるという作用を有する。
【００１４】
第３の本発明は、前記アドレス生成手段は、映像信号の色成分の大きさに応じてアドレスを調整する事を特徴とする請求項１記載の画像表示装置であり、入力された映像信号の色域に応じてメモリを効率的に利用できるという作用を有する。
【００１５】
第４の本発明は、前記アドレス生成手段は、第１のアドレス生成手段と第２のアドレス生成手段を備え、色域の大きさに応じて、前記制御手段により、前記第１のアドレス生成手段と前記第２のアドレス生成手段とを切り替える事を特徴とする請求項２記載の画像表示装置であり、従来規格と拡張動画標準規格の切り替えを最適に行う事で記憶手段を効率的に利用する事ができるという作用を有する。
【００１６】
第５の本発明は、前記演算手段により補間演算した後、前記映像信号に乗算する事を特徴とする請求項１記載の画像表示装置であり、記憶手段をゲインとして持つ事で容量を小規模にできるという作用を有する。
【発明の効果】
【００１７】
以上のように本発明は、プロジェクタなどの画像表示装置、特に色変換処理において、色に応じてアドレスを調整する事で、色変換を小規模の容量の記憶手段で構成する事ができるという効果が得られる。
【発明を実施するための最良の形態】
【００１８】
以下、本発明に係る画像表示装置及び画像表示方法の実施の形態について、プロジェクタ装置を例にとり、図面を参照しながら説明する。
【００１９】
（実施の形態１）
図１は画像表示装置であるプロジェクタ装置を示す構成図、図２は本発明の実施の形態１のプロジェクタ装置の外観図である。
【００２０】
プロジェクタ装置１は、図１に示すように、パーソナルコンピュータ１０と映像ケーブル１５を用いて接続されており、パーソナルコンピュータ１０が出力する映像信号を映像ケーブル１５を介して受け付け、受け付けた映像信号を信号処理して、内蔵する液晶パネル（図示せず）に展開してスクリーン２０に投影する。
【００２１】
プロジェクタ装置１の筐体には、一例として図２に示すように、ＶＩＤＥＯ端子２１、Ｓ−ＶＩＤＥＯ端子２２、ＲＧＢ／ＹＰｂＰｒ入力端子２３、リモコン受光部２４、投写レンズ２５、方向キー２６、決定ボタン２７及び外光センサ２８が設けられており、ＲＧＢ／ＹＰｂＰｒ入力端子２３が、パーソナルコンピュータ１０が出力する輝度信号Ｙ、色差信号Ｐｂ、色差信号Ｐｒを受け付け、外光センサ２８が、プロジェクタ装置１の周囲の外光照度を検出する。２９は、プロジェクタ装置１を離れた位置から操作するためのリモートコントローラである。
【００２２】
パーソナルコンピュータ１０が出力する映像信号が表す画像の解像度は、一例として、１画面に６４０×４８０個の画素を含むＶＧＡ（Ｖｉｄｅｏ  Ｇｒａｐｈｉｃｓ  Ａｒｒａｙ）であるとする。
【００２３】
また、プロジェクタ装置１は、各画素について、最低輝度から最高輝度までを１０２４階調で表す仕様に基づいているものとする。
【００２４】
次に、本発明の実施の形態１のプロジェクタ装置について、詳細ブロック図である図３を参照しながら説明する。
【００２５】
ＶＩＤＥＯ端子２１は、ＮＴＳＣ方式のコンポジットビデオ信号を入力するための端子である。
【００２６】
Ｓ−ＶＩＤＥＯ端子２２は、Ｓビデオ信号を入力するための端子である。
【００２７】
ＲＧＢ／ＹＰｂＰｒ入力端子２３は、ＲＧＢ信号またはＹＰｂＰｒ信号を入力するための端子である。
【００２８】
入力セレクタ３０は、ＶＩＤＥＯ端子２１から入力されたコンポジットビデオ信号、Ｓ−ＶＩＤＥＯ端子２２から入力されたＳビデオ信号の内から、何れかの信号を選択するためのセレクタである。
【００２９】
Ｙ／Ｃ分離回路３２は、カラーデコーダ３１によって入力されたコンポジットビデオ信号を、Ｙ信号とＣ信号とに分離するための回路である。
【００３０】
カラーデコーダ３１は、Ｙ／Ｃ分離された信号、または入力されたＹ／Ｃ信号をＹＰｂＰｒ信号にカラーデコードするためのデコーダである。
【００３１】
マトリクス回路３３は、ＲＧＢ／ＹＰｂＰｒ入力端子２３から入力されたＹＰｂＰｒ信号をＲＧＢ信号へ変換する際に、マトリクス処理を行うための回路である。
【００３２】
入力セレクタ３４は、ＲＧＢ／ＹＰｂＰｒ入力端子２３から入力されたＲＧＢ信号、マトリクス回路３３によって生成されたＲＧＢ信号の内から、何れかの信号を選択するためのセレクタである。
【００３３】
入力セレクタ３４は、カラーデコーダ３１によって生成されたＹＰｂＰｒ信号、入力セレクタ３５によって入力されたＲＧＢ信号の内から、何れかのアナログ信号を選択するためのセレクタである。
【００３４】
Ａ／Ｄコンバータ３６は、入力セレクタ３５によって選択されたアナログ信号を、１０ｂｉｔのデジタル信号へＡ／Ｄコンバートするためのコンバータである。
【００３５】
リサイズ・フリーズ・オンスクリーン発生回路４０は、Ａ／Ｄコンバータ３６によってＡ／Ｄコンバートされたデジタル信号を、ＬＣＤ（Ｌｉｑｕｉｄ  Ｃｒｙｓｔａｌ  Ｄｉｓｐｌａｙ）パネル９１〜９３の画素数に応じてリサイズし、オンスクリーンを重畳させるための回路である。また、この回路は台形補正をする機能も備えている。
【００３６】
色域変換回路５０は、リサイズ・フリーズ・オンスクリーン発生回路４０が出力した映像データの色域を変換する回路である。
【００３７】
メインマイコン７０は、電源（図示省略）制御、ファン（図示省略）制御、温度制御、入力切り換え制御など装置全体のあらゆる制御を行うとともに、色域変換回路５０の制御を行う。
【００３８】
外部インタフェース７１は、ＰＣ（パーソナルコンピュータ）などの外部入力装置からの制御信号等を通信する部分である。
【００３９】
デジタル相展開回路８１〜８３は、ＬＣＤパネル９１〜９３の駆動ドライバ（図示省略）の動作速度を考慮して、デジタル信号を相展開するための回路である。
【００４０】
パネル駆動ＩＣ（Ｉｎｔｅｇｒａｔｅｄ  Ｃｉｒｃｕｉｔ）９０は、ＬＣＤパネル９１〜９３を駆動するための回路である。
【００４１】
ＬＣＤパネル９１〜９３は、色域変換回路５０によって色域変換され、デジタル相展開回路８１〜８３によって相展開されたデジタル信号をカラー表示するためのパネルである。
【００４２】
次に、本実施の形態のプロジェクタ装置における動作について、図４の色域変換回路５０の詳細図と、図５のフローチャートを用いて説明する。
【００４３】
まず、リサイズ・フリーズ・オンスクリーン発生回路４０から出力した映像信号が入力される（Ｓ５００）と、入力映像信号（Ｒｅｄ、Ｇｒｅｅｎ、Ｂｌｕｅからなる）から、アドレス生成手段５１により色変換テーブルのアドレスが生成される（Ｓ５０１）。
【００４４】
例えば、入力映像信号が各１０ｂｉｔであると考えた時、それぞれの上位４ｂｉｔの１２ｂｉｔで生成される。その生成の方法は上位側のｂｉｔからＢｌｕｅ、Ｇｒｅｅｎ、Ｒｅｄの１２ｂｉｔであるとする。
【００４５】
このように生成したアドレスを色変換テーブル５２に入力する（Ｓ５０２）。
【００４６】
色変換テーブル５２は、アドレスが入力されると、そのアドレスに対応した８個のデータが同時に出力される（Ｓ５０３）。この８個のデータは各データを頂点とする立方体を形成している。
【００４７】
演算手段５３には、アドレス生成手段５１により入力映像信号各色それぞれの下位ｂｉｔ部分が入力される。
【００４８】
例えば、この場合、入力映像信号の下位６ｂｉｔがそれぞれ入力される。
【００４９】
色変換テーブル５２より入力された８個の頂点データに入力映像信号の下位６ｂｉｔを利用して補間され（Ｓ５０４）、１０ｂｉｔの映像信号が生成され、演算手段５３より出力し、色変換回路５０からそのまま出力される。
【００５０】
この後、映像信号はデジタル相展開回路８１〜８３に送られる（Ｓ５０５）。
【００５１】
以上のように、本実施の形態の画像処理装置によれば、入力した映像信号に対して、映像信号の入力レベルから、入力レベルに合わせた色変換テーブルのアドレスを生成するアドレス生成手段５１と、アドレス生成手段５１で生成されたアドレスが入力される色変換テーブル５２と、アドレス生成手段５１で生成されたアドレスに基づき、出力される色変換テーブルの値を、アドレス生成手段５１から出力される補間割合に応じて補間演算することで、色域変換するような回路では膨大な記憶手段が必要になるところを、小規模の容量の記憶手段で実現する事が可能になる。
【００５２】
（実施の形態２）
本発明の実施の形態２の画像処理装置は、実施の形態１の画像処理装置と基本構成は同じであり、色域変換回路５０に入力された映像信号から、アドレス生成手段５１により色変換テーブル５２のアドレスを生成し、生成したアドレスを色変換テーブル５２に入力し、８個のデータを出力する。その後、色変換テーブル５２からの出力を、アドレス生成手段５１により作られた入力映像信号各色それぞれの下位ｂｉｔ部分で補間する事を特徴とする。
【００５３】
以下、実施の形態１の画像処理装置との相違点を中心に説明する。
【００５４】
図６は実施の形態２の画像処理装置における色域変換回路５０の詳細図である。実施の形態１の画像処理装置と異なるところは、制御手段５４、プロファイル記憶手段５５をさらに設けた点である。
【００５５】
次に、本実施の形態で使用する制御手段５４、プロファイル記憶手段５５の動作について、図７のフローチャートとともに説明する。
【００５６】
入力映像信号として入力されてくるコンテンツは様々で、１つの色域変換プロファイルだけでは対応しきれない。そこで、入力されるコンテンツの色域に応じて色域変換プロファイルを変える必要がある。
【００５７】
入力された映像信号の色域は、入力された時にメインマイコン７０から制御手段５４に伝えられる（Ｓ５０６）。その後、制御手段５４は色域を変換するプロファイルを複数記憶したプロファイル記憶手段５５（Ｓ５０８）から、入力される色域に応じたプロファイルを取り出してくる。そして、色変換テーブル５２に書き込む（Ｓ５０７）。
【００５８】
以上のように、本実施の形態の画像処理装置によれば、入力される映像信号の色域に応じてプロファイルを色変換することで、コンテンツに応じた最適な色変換を実現できる。
【００５９】
（実施の形態３）
本発明の実施の形態３の画像処理装置は、実施の形態１の画像処理装置と基本構成は同じであり、色域変換回路５０に入力された映像信号から、アドレス生成手段５１により色変換テーブル５２のアドレスを生成し、生成したアドレスを色変換テーブル５２に入力し、８個のデータを出力する。その後、色変換テーブル５２からの出力を、アドレス生成手段５１により作られた入力映像信号各色それぞれの下位ｂｉｔ部分で補間する事を特徴とする。
【００６０】
以下、実施の形態１の画像処理装置との相違点を中心に説明する。
【００６１】
図８は実施の形態３の画像処理装置における色域変換回路５０の、アドレス生成手段５１について説明した表である。
【００６２】
実施の形態１の画像処理装置と異なるところは、アドレス生成手段５１を、入力されるコンテンツの色域に応じて変更する点である。
【００６３】
次に、本実施の形態で使用するアドレス生成手段５１について説明する。
【００６４】
例えば、入力映像信号の色域がＡｄｏｂｅＲＧＢであったとする。その色域の取りうる範囲をＲＧＢ各色０〜１までとすると、従来の規格(ＩＴＵ−Ｒ  ＢＴ．７０９)では図８の表のようになる。
【００６５】
つまり、Ｒｅｄは−０．６２７〜１．１７９、Ｇｒｅｅｎは０〜１、Ｂｌｕｅは−０．１６８〜１．０２１の範囲をとる。
【００６６】
この場合、従来と同じように、Ｒｅｄ、Ｇｒｅｅｎ、Ｂｌｕｅとも同じ範囲をもつようにすると、−０．６２７〜１．１７９の範囲が必要となり、使用しないメモリ部分は無駄になってしまう。そこで、各色の入力範囲にあわせてアドレスを生成するようにする。
【００６７】
なお、ここではＡｄｏｂｅＲＧＢの色域を例にとって説明したが、ＤＣＩ（Ｄｉｇｉｔａｌ Ｃｉｎｅｍａ Ｉｎｔｉａｔｉｖｅｓ）の色域でも構わないし、他の色域でも構わない。
【００６８】
以上のように、本実施の形態の画像処理装置によれば、入力コンテンツの色域に応じてアドレスを生成することで、小規模で最適な記憶手段で構成する事ができる。
【００６９】
（実施の形態４）
本発明の実施の形態４の画像処理装置は、実施の形態２の画像処理装置と基本構成は同じであり、色域変換回路５０に入力された映像信号から、第１のアドレス生成手段５１または第２のアドレス生成手段５６により色変換テーブル５２のアドレスを生成し、生成したアドレスを色変換テーブル５２に入力し、８個のデータを出力する。その後、色変換テーブル５２からの出力を第１のアドレス生成手段５１または第２のアドレス生成手段５６により作られた入力映像信号各色それぞれの下位ｂｉｔ部分で補間する事を特徴とする。
【００７０】
以下、実施の形態２の画像処理装置との相違点を中心に説明する。
【００７１】
図９は実施の形態４の画像処理装置についての色域変換回路５０の詳細図である。実施の形態２の画像処理装置と異なるところは、アドレス生成手段を、第１のアドレス生成手段５１と第２のアドレス生成手段５６として設けた点である。
【００７２】
次に、本実施の形態で使用する第１のアドレス生成手段５１と第２のアドレス生成手段５６について説明する。
【００７３】
第１のアドレス生成手段５１は従来規格のアドレス生成手段である。第２のアドレス生成手段５６は新規格ｘｖＹＣＣに対応したものである。これは従来の規格と違い、入力映像信号に１以上負のデータの入力を許し、また、各色のとりうる範囲が違うものである。
【００７４】
従来規格で作られた色変換プロファイルと新しい規格の色域変換プロファイルの互換性をとる為に、メインマイコン７０から新規格の信号であることを通知されると、制御手段５４がセレクタ５７を制御することにより、アドレス生成手段５１をアドレス生成手段５６に切り替える。
【００７５】
以上のように、本実施の形態の画像処理装置によれば、アドレス生成手段を切り替えることにより、従来回路の互換性を保ちつつ、所望のプロファイルを提供する事ができる。
【００７６】
（実施の形態５）
本発明の実施の形態５の画像処理装置は、実施の形態２の画像処理装置と基本構成は同じであり、色域変換回路５０に入力された映像信号から、アドレス生成手段５１により色変換テーブル５２のアドレスを生成し、生成したアドレスを色変換テーブル５２に入力し、８個のデータを出力する。その後、色変換テーブル５２からの出力をアドレス生成手段５１により作られた入力映像信号各色それぞれの下位ｂｉｔ部分で補間する事を特徴とする。
【００７７】
以下、実施の形態２の画像処理装置との相違点を中心に説明する。
【００７８】
図１０は実施の形態５の画像処理装置についての色域変換回路５０の詳細図である。実施の形態２の画像処理装置と異なるところは、プロファイルをゲインにした事と、乗算器５８を更に設けた点である。
【００７９】
次に、本実施の形態で使用するプロファイルと乗算器５８について説明する。
【００８０】
プロファイル記憶手段５５の内容を、入力映像信号に対してどれだけゲインをかけるかというゲイン量に変更する。
【００８１】
これにより、演算手段５３により出力されたゲイン量を、入力映像信号に対して乗算器５８により乗算する。その後色域変換回路から出力する。
【００８２】
以上のように、本実施の形態の画像処理装置によれば、色域変換回路５０に入力された映像信号にゲイン量を乗算する事で、記憶手段の容量を小規模にする事ができる。
【産業上の利用可能性】
【００８３】
本発明の画像表示装置は、小規模の記憶容量で色域変換することができ、特に色域が広いプロジェクタ等の画像表示装置に有用である。
【図面の簡単な説明】
【００８４】
【図１】画像表示装置であるプロジェクタ装置の構成を示す構成図
【図２】本発明の実施の形態１のプロジェクタ装置の外観図
【図３】本発明の実施の形態１のプロジェクタ装置の内部構成を示すブロック図
【図４】本発明の実施の形態１のプロジェクタ装置の色域変換回路の内部構成を示すブロック図
【図５】本発明の実施の形態１のプロジェクタ装置による補正処理を示すフローチャート
【図６】本発明の実施の形態２の画像処理装置の色域変換回路の内部構成を示すブロック図
【図７】本発明の実施の形態２の画像処理装置による補正処理を示すフローチャート
【図８】本発明の実施の形態３の画像処理装置の色域変換回路の入力コンテンツの色域をとる範囲の表を示す図
【図９】本発明の実施の形態４の画像処理装置の色域変換回路の内部構成を示すブロック図
【図１０】本発明の実施の形態５の画像処理装置の色域変換回路の内部構成を示すブロック図
【図１１】従来例における画像処理装置を示すブロック図
【符号の説明】
【００８５】
１  プロジェクタ装置
１０  パーソナルコンピュータ
２０  スクリーン
２１  ＶＩＤＥＯ端子
２２  Ｓ−ＶＩＤＥＯ端子
２３  ＲＧＢ／ＹＰｂＰｒ入力端子
２４  リモコン受光部
２５  投写レンズ
２６  方向キー
２７  電源ＯＮ／ＯＦＦボタン
２８  外光センサ
２９  リモートコントローラ
３０  入力セレクタ
３１  カラーデコーダ
３２  Ｙ／Ｃ分離回路
３３  マトリクス回路
３４  入力セレクタ
３５  入力セレクタ
３６  Ａ／Ｄコンバータ
４０  リサイズ・フリーズ・オンスクリーン発生回路
５０  色域変換回路
５１  アドレス生成手段
５２  色変換テーブル
５３  演算手段
５４  制御手段
５５  プロファイル記憶手段
５６  第２アドレス生成手段
５７  セレクタ
５８  乗算器
７０  メインマイコン
７１  外部インタフェース
８１〜８３  デジタル相展開回路
９０  パネル駆動ＩＣ
９１〜９３  ＬＣＤパネル
【図１】
2008301383.tif 000003
【図２】
2008301383.tif 000004
【図３】
2008301383.tif 000005
【図４】
2008301383.tif 000006
【図５】
2008301383.tif 000007
【図６】
2008301383.tif 000008
【図７】
2008301383.tif 000009
【図８】
2008301383.tif 000010
【図９】
2008301383.tif 000011
【図１０】
2008301383.tif 000012
【図１１】
2008301383.tif 000013